(57)【要約】【課題】収納スペースが小さくて済むとともに、作業準備が容易なメンテナンスステージ装置を提供する。【解決手段】支柱１が設置箇所に垂直に設けられている。梁材１０が支柱１に対し任意の回転角度の横方向に伸びるよう支柱１に垂直に取り付けられている。足場材２０が梁材１０に取り付けられている。脚部３０が設置箇所に対して足場材２０を支持する使用位置ａと、設置箇所から離れた不使用位置ｂとに配置可能である。脚部３０は使用位置ａで足場材２０に対して垂直をなし、不使用位置ｂで足場材２０に沿うよう足場材２０に対し回転可能である。【選択図】図１
0003233202.tif 000002
【実用新案登録請求の範囲】
【請求項１】
設置箇所に設けられる支柱に取り付けて使用されるメンテナンスステージ装置であって、
前記支柱に対し任意の回転角度の横方向に伸びるよう前記支柱に取り付けられた梁材と、
前記梁材に取り付けられた足場材と、
前記設置箇所に対して前記足場材を支持する使用位置と、前記設置箇所から離れた不使用位置とに配置可能な脚部とを、
有することを特徴とするメンテナンスステージ装置。
【請求項２】
前記梁材は前記支柱に垂直に伸び、前記脚部は前記使用位置で前記足場材に対して垂直をなし、前記不使用位置で前記足場材に沿うよう前記足場材に対し回転可能に設けられており、前記脚部は長さ方向に伸縮可能であって任意の位置で固定可能な高さ調節部材を有することを、特徴とする請求項１記載のメンテナンスステージ装置。
【考案の詳細な説明】
【技術分野】
【０００１】
本考案は、支柱に固定されたアンテナなどの取付けや修理に適したメンテナンスステージ装置に関する。
【背景技術】
【０００２】
従来、支柱に固定されたアンテナなどの取付けや修理には、脚立などの折り畳み可能な作業台が用いられてきた（例えば、特許文献１参照）。
【先行技術文献】
【特許文献】
【０００３】
【特許文献１】特開２００２−１８８２８５号公報
【考案の概要】
【考案が解決しようとする課題】
【０００４】
しかしながら、特許文献１に記載の作業台は、収納にスペースをとられるとともに、使用するたびに収納場所から移動して設置する必要があり、作業準備に手間と時間がかかるという課題があった。
【０００５】
本考案は、このような課題に着目してなされたもので、収納スペースが小さくて済むとともに、作業準備が容易なメンテナンスステージ装置を提供することを目的とする。
【課題を解決するための手段】
【０００６】
上記目的を達成するために、本考案に係るメンテナンスステージ装置は、設置箇所に設けられる支柱に取り付けて使用されるメンテナンスステージ装置であって、前記支柱に対し任意の回転角度の横方向に伸びるよう前記支柱に取り付けられた梁材と、前記梁材に取り付けられた足場材と、前記設置箇所に対して前記足場材を支持する使用位置と、前記設置箇所から離れた不使用位置とに配置可能な脚部とを、有することを特徴とする。
【０００７】
本考案に係るメンテナンスステージ装置は、梁材を支柱に対し任意の回転角度の横方向に伸びるよう取り付け、足場材を作業しやすい位置に位置付けることができる。作業位置を決めたならば、脚部を使用位置に配置して足場材を設置箇所で支持し、足場材の上に乗って作業を行うことができる。使用しない場合には、脚部を不使用位置に配置して設置箇所から離せば、設置箇所から足場材までのスペースを空けることができる。このように、脚立などに比べて、収納スペースが小さくて済むとともに、作業準備が容易である。
【０００８】
本考案に係るメンテナンスステージ装置において、前記梁材は前記支柱に垂直に伸び、前記脚部は前記使用位置で前記足場材に対して垂直をなし、前記不使用位置で前記足場材に沿うよう前記足場材に対し回転可能に設けられていることが好ましい。
また、前記脚部は長さ方向に伸縮可能であって任意の位置で固定可能な高さ調節部材を有することが好ましい。
【考案の効果】
【０００９】
本考案によれば、収納スペースが小さくて済むとともに、作業準備が容易なメンテナンスステージ装置を提供することができる。
【図面の簡単な説明】
【００１０】
【図１】本考案の実施の形態のメンテナンスステージ装置を示す側面図である。
【図２】図１のメンテナンスステージ装置を示す平面図である。
【図３】図１のメンテナンスステージ装置を示す正面図である。
【図４】図１のメンテナンスステージ装置の脚部を不使用位置に配置した状態を示す側面図である。
【図５】図１のメンテナンスステージ装置の脚部を不使用位置に配置した状態を示す平面図である。
【図６】図１のメンテナンスステージ装置の脚部の高さ調節部材の（Ａ）最小に縮めた状態を示す側面図、（Ｂ）最大に伸ばした状態を示す側面図である。
【考案を実施するための形態】
【００１１】
以下、図面に基づき本考案の実施の形態について説明する。
図１〜図６は、本考案の実施の形態のメンテナンスステージ装置を示している。
メンテナンスステージ装置は、設置箇所に設けられる支柱１に取り付けて使用される。支柱１は、設置箇所に固定された基礎２の上部に垂直に固定されている。
【００１２】
図１〜図６に示すように、メンテナンスステージ装置は、１対の梁材１０と、足場材２０と、１対の脚部３０とを有している。
１対の梁材１０は、互いに平行であって支柱１を挟み、アームタイレス金物１１により支柱１に対し任意の回転角度の横方向に伸びるよう支柱１に垂直に取り付けられている。図２に示すように、足場材２０は、長方形の枠材２１と、枠材２１の内側を覆うよう枠材２１に取り付けられた網材２２とを有している。枠材２１は、２本の短材２１ａと２本の長材２１ｂとから成っている。足場材２０は、２本の短材２１ａを１対の梁材１０と平行にして各梁材１０の自由端側の上部に固定されている。１対の短材２１ａは、支柱１から離れた側の両端に下方に伸びる１対の支持部２３を有している。各短材２１ａは、中間部に支持部２３と平行に下方に伸びる保持部２４を有している。
【００１３】
１対の脚部３０は、１対の支持部２３の外側側部に水平方向に伸びる軸を中心として回転可能に取り付けられている。各脚部３０は、図１〜図３に示す使用位置ａで短材２１ａに対して垂直をなして下方に伸び、図４および図５に示す不使用位置ｂで短材２１ａに沿うよう足場材２０に対し回転可能である。各脚部３０の中間部には、ステップ材３１が固定されている。ステップ材３１は、コの字状であって両端が各脚部３０の中間部を連結している。ステップ材３１は、使用位置ａで支柱１から離れた方向に突出している。
【００１４】
各脚部３０は、使用位置ａで支持部２３にボルトで固定可能な第１固定孔３２と、不使用位置ｂで保持部２４にボルトで固定可能な第２固定孔３３を有している。
図６（Ａ），（Ｂ）に示すように、各脚部３０は、下端に高さ調節部材３４を有している。各高さ調節部材３４は、ボルト状の軸部を有し、回転させることにより各脚部３０の長さ方向に伸縮可能であって任意の位置で固定可能である。
【００１５】
メンテナンスステージ装置は、梁材１０を支柱１に対し任意の回転角度の横方向に伸びるようアームタイレス金物１１で支柱１に取り付け、足場材２０を作業しやすい位置に位置付けることができる。作業位置を決めたならば、脚部３０を使用位置ａに配置し、必要に応じて高さ調節部材３４を伸縮させて足場材２０を設置箇所で支持する。第１固定孔３２でボルトにより支持部２３に固定し、ステップ材３１から安全に足場材２０の上に乗って作業を行うことができる。使用しない場合には、脚部３０を不使用位置ｂに配置して設置箇所から離し、第２固定孔３３でボルトにより保持部２４に固定する。脚部３０を不使用位置ｂに配置することにより、設置箇所から足場材２０までのスペースを空けることができる。このように、脚立などに比べて、収納スペースが小さくて済むとともに、作業準備が容易である。
【符号の説明】
【００１６】
１  支柱、２  基礎、１０  梁材、１１  アームタイレス金物、２０  足場材、
２１  枠材、２１ａ  短材、２１ｂ  長材、２２  網材、２３  支持部、
２４  保持部、３０  脚部、３１  ステップ材、３２  第１固定孔、
３３  第２固定孔、３４  高さ調節部材
【図１】
0003233202.tif 000003
【図２】
0003233202.tif 000004
【図３】
0003233202.tif 000005
【図４】
0003233202.tif 000006
【図５】
0003233202.tif 000007
【図６】
0003233202.tif 000008